(57)【要約】  デジタルメディアコンテンツ再生転送方法、再生装置及びシステムであって、第１装置が第１指示を識別し及び／又は第２装置が第２指示を識別した後、第２装置は第１装置が第２装置に指示したデジタルメディアコンテンツを再生し、第１装置が第１指示を識別することは、撮影モジュールがキャプチャしたビデオデータが事前定義された送信ハンドジェスチャを合致し又は事前定義された送信身体動作を合致するビデオデータであることを判断し、及び／又は、タッチスクリーン処理モジュールがキャプチャしたタッチスクリーンタッチデータが事前定義された送信操作イベントを合致するデータであることを判断することを指す。第２装置が第２指示を識別することは、撮影モジュールがキャプチャしたビデオデータが事前定義された受信ハンドジェスチャを合致し又は事前定義された受信身体動作を合致するビデオデータであることを判断し、及び／又は、タッチスクリーン処理モジュールがキャプチャしたタッチスクリーンタッチデータが事前定義された受信操作イベントを合致するデータであることを判断することを指す。上記案はデジタルメディアコンテンツ装置のユーザビリティを向上させ、ユーザ体験を向上させることができる。
2015519653.tif 000002
【特許請求の範囲】
【請求項１】
第１装置が第１指示を識別し、及び／又は第２装置が第２指示を識別した後、前記第２装置は前記第１装置が前記第２装置に指示したデジタルメディアコンテンツを再生し、
前記第１装置が第１指示を識別することは、前記第１装置が、撮影モジュールがキャプチャしたビデオデータに基づいて、前記ビデオデータが事前定義された送信ハンドジェスチャに合致する又は事前定義された送信身体動作に合致するビデオデータであることを分析すること、及び／又は、前記第１装置が、タッチスクリーン処理モジュールがキャプチャしたタッチスクリーンポイントタッチデータに基づいて、前記タッチスクリーンポイントタッチデータが事前定義された送信操作イベントに合致するデータであることを分析することを指し、
前記第２装置が第２指示を識別することは、前記第２装置が、撮影モジュールがキャプチャしたビデオデータに基づいて、前記ビデオデータが事前定義された受信ハンドジェスチャに合致する又は事前定義された受信身体動作に合致するビデオデータであることを分析すること、及び／又は、前記第２装置が、タッチスクリーン処理モジュールがキャプチャしたタッチスクリーンポイントタッチデータに基づいて、前記タッチスクリーンポイントタッチデータが事前定義された受信操作イベントに合致するデータであることを分析することを指す、
デジタルメディアコンテンツ再生転送の方法。
【請求項２】
前記事前定義された送信ハンドジェスチャは、ユーザが、こすり、つまみ上げ、つかみ取る、指を集め、又は両手を集める動作を指す、
請求項１に記載の方法。
【請求項３】
前記事前定義された送信操作に合致するイベントは、ワンタッチイベント、マルチタッチイベント、並進イベント、又はマルチポイント並進集めイベントを指す、
請求項１に記載の方法。
【請求項４】
前記事前定義された受信ハンドジェスチャは、投げ、リリース、指し、又は指開きの動作を指す、
請求項１に記載の方法。
【請求項５】
前記事前定義された受信操作イベントは、ワンタッチイベント、マルチタッチイベント、並進イベント、又はマルチポイント並進分散イベントである、
請求項１に記載の方法。
【請求項６】
前記第１装置が前記第１指示を識別した後デジタルメディアコンテンツ再生転送の要求メッセージを送信し、前記第２装置が前記要求メッセージを受信して且つ前記第２指示を識別した後、前記第１装置に要求メッセージ受信のレスポンスをフィードバックし、前記第１装置が前記レスポンスを受信した後前記第２装置に前記デジタルメディアコンテンツを指示し、
又は、
前記第２装置が前記第２指示を識別した後前記第１装置にデジタルメディアコンテンツ再生転送の要求メッセージを送信し、前記第１装置が前記要求メッセージを受信して且つ前記第１指示を識別した後、前記第２装置に要求メッセージを受け入れるレスポンスをフィードバックし、且つ前記第２装置に前記デジタルメディアコンテンツを指示するという実行過程をさらに含む、
請求項１に記載の方法。
【請求項７】
前記第１装置が前記第１指示を識別した後、前記第２装置にデジタルメディアコンテンツ再生転送の要求メッセージを送信し、且つ前記第２装置に前記デジタルメディアコンテンツを指示するという実行過程をさらに含む、
請求項１に記載の方法。
【請求項８】
前記第２装置が前記第２指示を識別した後、前記第１装置にデジタルメディアコンテンツ再生転送の要求メッセージを送信し、前記第１装置が前記要求メッセージを受信した後、前記第２装置に前記デジタルメディアコンテンツを指示するという実行過程をさらに含む、
請求項１に記載の方法。
【請求項９】
前記要求メッセージは、デジタルメディアコンテンツのカテゴリー指示を含み、
前記カテゴリー指示は、画像、ビデオ、音声、デスクトップのパラメータのうちの１又は複数種の組み合せを含む、
請求項６、７又は８に記載の方法。
【請求項１０】
前記第１装置がデジタルメディアコンテンツを指示することは、前記第１装置が前記第２装置に前記第１装置の再生しているデジタルメディアコンテンツを送信し、又は前記第１装置が前記第２装置にデジタルメディアコンテンツのアドレスを送信することを指し、
前記デジタルメディアコンテンツは、前記第１装置のローカルデジタルメディアコンテンツ又は前記第１装置がネットワークにより取得したデジタルメディアコンテンツである、
請求項１〜８のいずれか１項に記載の方法。
【請求項１１】
再生装置であって、
前記再生装置は、撮影モジュール及び／又はタッチスクリーン処理モジュールを含み、
前記再生装置は、データ伝送指示識別モジュール及びネットワークモジュールを更に含み、
前記データ伝送指示識別モジュールは、第１指示を識別し、具体的に、前記撮影モジュールがキャプチャしたビデオデータに基づいて、前記ビデオデータが事前定義された送信ハンドジェスチャに合致する又は事前定義された送信身体動作に合致するビデオデータであることを分析し、及び／又は、タッチスクリーン処理モジュールがキャプチャしたタッチスクリーンポイントタッチデータに基づいて前記データが事前定義された送信操作イベントに合致するデータであることを分析することを指すように設置され、
前記ネットワークモジュールは、前記データ伝送指示識別モジュールが第１指示を識別した後、ターゲット再生装置にデジタルメディアコンテンツを指示するように設置される、
再生装置。
【請求項１２】
前記事前定義された送信ハンドジェスチャは、ユーザが、こすり、つまみ上げ、つかみ取る、指を集め、又は両手を集める動作を指す、
請求項１１に記載の再生装置。
【請求項１３】
前記事前定義された送信操作を合致するイベントは、ワンタッチイベント、マルチタッチイベント、並進イベント、又はマルチポイント並進集めイベントを指す、
請求項１１に記載の再生装置。
【請求項１４】
前記ネットワークモジュールは、前記ターゲット再生装置に前記再生装置の再生しているデジタルメディアコンテンツ又は前記デジタルメディアコンテンツのアドレスを送信し、
前記デジタルメディアコンテンツは、前記再生装置のローカルデジタルメディアコンテンツ又はネットワークにより取得されたデジタルメディアコンテンツであるように更に設置される、
請求項１１に記載の再生装置。
【請求項１５】
再生装置であって、
前記再生装置は、撮影モジュール及び／又はタッチスクリーン処理モジュールを含み、
前記再生装置は、データ伝送指示識別モジュール、ネットワークモジュール、及び再生コントロールモジュールを更に含み、
前記データ伝送指示識別モジュールは、第２指示を識別する、つまり撮影モジュールがキャプチャしたビデオデータに基づいて前記ビデオデータが事前定義された受信ハンドジェスチャに合致する又は事前定義された受信身体動作に合致するビデオデータであることを分析し、及び／又は、タッチスクリーン処理モジュールがキャプチャしたタッチスクリーンポイントタッチデータに基づいて前記データが事前定義された受信操作イベントに合致するデータであることを分析するように設置され、
前記ネットワークモジュールは、前記データ伝送指示識別モジュールが前記第２指示を識別した後、相手端再生装置の指示を受信するように設置され、
前記再生コントロールモジュールは、前記相手端再生装置が指示するデジタルメディアコンテンツを再生するように設置される、
再生装置。
【請求項１６】
前記事前定義された受信ハンドジェスチャは、投げ、リリース、指し、又は指開きの動作を指す、
請求項１５に記載の再生装置。
【請求項１７】
前記事前定義された受信操作イベントは、ワンタッチイベント、マルチタッチイベント、並進イベント、又はマルチポイント並進分散イベントである、
請求項１５に記載の再生装置。
【請求項１８】
前記相手端再生装置の指示は、前記相手端再生装置が再生しているデジタルメディアコンテンツ又はデジタルメディアコンテンツのアドレスを指し、
前記再生コントロールモジュールは、前記相手端再生装置の指示が前記相手端再生装置の再生しているデジタルメディアコンテンツを指す時、前記デジタルメディアコンテンツを再生し、前記相手端再生装置の指示がデジタルメディアコンテンツのアドレスを指す時、前記アドレスに対応するデジタルメディアコンテンツを取得して再生するように更に設置される、
請求項１５に記載の再生装置。
【請求項１９】
請求項１１〜１４のいずれか一つに記載の再生装置を含み、
請求項１５〜１８のいずれか一つに記載の再生装置を更に含む、
デジタルメディアコンテンツ再生転送システム。
【発明の詳細な説明】
【技術分野】
【０００１】
本発明は通信及び情報分野に関し、特にデジタルメディアコンテンツ再生転送の方法及び再生装置及びシステムに関する。
【背景技術】
【０００２】
デジタルマルチメディア及びネットワークの発展は、人々の日常生活中のエンターテインメント体験を豊かにする。従来の技術により、人々は家でスーパーハイビジョンを見ることができる。テレビ番組の源は、デジタルディスク、ケーブルテレビ、インターネット等であり、ステレオ、５．１チャンネル、７．１チャンネル乃至もっとリアルな音声効果を体験させることができる。且つ、人々は更にタブレット電子装置（ＰＡＤ）、携帯電話を用いてこれらの体験を達成することができる。人々は、ネットワークにより異なる装置の間にデジタルコンテンツの再生を転送し、及びリモコン、ハンドジェスチャにより一つの装置の再生をコントロールする。例えば、一つ前のチャネル、次のチャネル番組等をコントロールして切り替えることができる。
【０００３】
従来の複数の装置に対する制御方法において、それぞれ装置の各自のリモコンを使用してコントロールを行うことが普通である。これらのリモコンは互いに共通しないものである。リモコン、例えば従来のテレビ、サウンドはほとんどネットワーク機能を具備しない。しかし、ネットワークをバックアップするリモコンもあり、例えば計算及びネットワーク能力を有する装置（例えば携帯電話、ＰＡＤ）上にインターワーキングプロトコルをバックアップするソフトウェアをロードすることにより、別の装置をコントロールする。
【０００４】
技術の発展に伴って、複数の装置の間のコンテンツ再生共有、転送ニーズはますます多くなり、上記操作方式は不便であることが明らかである。人々は多くのリモコンから装置に対応する一つのリモコンを選択し、異なる装置をコントロールすることに伴ってリモコンを差替する必要がある。又は、コンピュータの基本操作に精通した人々は、ＰＡＤ、携帯電話を操作することで装置をコントロールして、単一の装置をコントロールする。人々は、よりシンプルで、より自然な操作方式でコンテンツの共有再生、転送再生をコントロールすることを希望している。
【０００５】
よりシンプルで、より自然な操作方式を提供して装置間のコンテンツ再生転送、協力再生等の機能のコントロールを達成することができれば、人々のエンターテインメント生活をもっと簡単に、もっと楽しくすることができる。
【発明の概要】
【発明が解決しようとする課題】
【０００６】
本発明が解決しようとする技術問題は、デジタルメディアコンテンツ再生転送方法、再生装置及びシステムを提供し、デジタルメディアコンテンツ装置の操作性に新たな解決手段を提供することである。
【課題を解決するための手段】
【０００７】
上記技術問題を解決するために、本発明はデジタルメディアコンテンツ再生転送方法を提供しており、第１装置が第１指示を識別し及び／又は第２装置が第２指示を識別した後、前記第２装置は第１装置が前記第２装置に指示したデジタルメディアコンテンツを再生することを含み、前記第１装置が第１指示を識別することは、前記第１装置は撮影モジュールがキャプチャしたビデオデータに基づいて前記ビデオデータが事前定義された送信ハンドジェスチャを合致する又は事前定義された送信身体動作を合致するビデオデータであることを分析して得られ、及び／又は、前記第１装置はタッチスクリーン処理モジュールがキャプチャしたタッチスクリーンタッチデータに基づいて前記データが事前定義された送信操作イベントを合致するデータであることを分析して得られることを指し、前記第２装置が第２指示を識別することは、前記第２装置は撮影モジュールがキャプチャしたビデオデータに基づいて前記ビデオデータが事前定義された受信ハンドジェスチャを合致する又は事前定義された受信身体動作を合致するビデオデータであることを分析して得られ、及び／又は、前記第２装置はタッチスクリーン処理モジュールがキャプチャしたタッチスクリーンタッチデータに基づいて前記データが事前定義された受信操作イベントを合致するデータであることを分析して得られることを指す。
【０００８】
好ましくは、上記方法は、前記事前定義された送信ハンドジェスチャはユーザがこすり又はつまみ上げ又はつかみ取る又は指を集め又は両手を集める動作を指す。
【０００９】
好ましくは、上記方法は、前記の事前定義された送信操作を合致するイベントはワンタッチイベント又はマルチタッチイベント又は並進イベント又はマルチポイント並進集めイベントを指すことを更に特徴とする。
【００１０】
好ましくは、上記方法は、前記事前定義された受信ハンドジェスチャは投げ、リリース、指し又は指開きの動作を指すことを更に特徴とする。
【００１１】
好ましくは、上記方法は、前記事前定義された受信操作イベントはワンタッチイベント又はマルチタッチイベント又は並進イベント又はマルチポイント並進分散イベントであることを更に特徴とする。
【００１２】
好ましくは、上記方法は、前記方法は、前記第１装置が前記第１指示を識別した後デジタルメディアコンテンツ再生転送の要求メッセージを送信し、前記第２装置が前記要求メッセージを受信して且つ前記第２指示を識別した後、前記第１装置に要求メッセージ受信のレスポンスをフィードバックし、前記第１装置が前記レスポンスを受信した後前記第２装置に前記デジタルメディアコンテンツを指示し、又は、前記第２装置が前記第２指示を識別した後前記第１装置にデジタルメディアコンテンツ再生転送の要求メッセージを送信し、前記第１装置が前記要求メッセージを受信して且つ前記第１指示を識別した後、前記第２装置に要求メッセージを受け入れるレスポンスをフィードバックし、且つ前記第２装置に前記デジタルメディアコンテンツを指示するという実行過程をさらに含むことを更に特徴とする。
【００１３】
好ましくは、上記方法は、前記方法は、前記第１装置が前記第１指示を識別した後前記第２装置にデジタルメディアコンテンツ再生転送の要求メッセージを送信し、且つ前記第２装置に前記デジタルメディアコンテンツを指示するという実行過程をさらに含むことを更に特徴とする。
【００１４】
好ましくは、上記方法は、前記方法は、前記第２装置が前記第２指示を識別した後前記第１装置にデジタルメディアコンテンツ再生転送の要求メッセージを送信し、前記第１装置が前記要求メッセージを受信した後前記第２装置に前記デジタルメディアコンテンツを指示するという実行過程をさらに含むことを更に特徴とする。
【００１５】
好ましくは、上記方法は、前記要求メッセージはデジタルメディアコンテンツのカテゴリー指示を含み、前記カテゴリー指示は画像、ビデオ、音声、デスクトップのパラメータのうちの１種又は複数種の組み合せを含むことを更に特徴とする。
【００１６】
好ましくは、上記方法は、前記第１装置がデジタルメディアコンテンツを指示することは前記第１装置が前記第２装置に前記第１装置の再生しているデジタルメディアコンテンツを送信し、又は前記第１装置が前記第２装置にデジタルメディアコンテンツのアドレスを送信することを指し、前記デジタルメディアコンテンツは前記第１装置のローカルデジタルメディアコンテンツ又は前記第１装置がネットワークにより取得したデジタルメディアコンテンツであることを更に特徴とする。
【００１７】
上記技術問題を解決するために、本発明はソース装置としての再生装置を更に提供しており、前記再生装置は撮影モジュール及び／又はタッチスクリーン処理モジュールを含み、前記再生装置はデータ伝送指示識別モジュール及びネットワークモジュールを更に含み、前記データ伝送指示識別モジュールは、第１指示を識別し、具体的に、前記撮影モジュールがキャプチャしたビデオデータに基づいて、前記ビデオデータが事前定義された送信ハンドジェスチャを合致する又は事前定義された送信身体動作を合致するビデオデータであることを分析して得られ、及び／又は、はタッチスクリーン処理モジュールがキャプチャしたタッチスクリーンタッチデータに基づいて前記データが事前定義された送信操作イベントを合致するデータであることを分析して得られることを指すように設置され、前記ネットワークモジュールは、前記データ伝送指示識別モジュールが第１指示を識別した後、ターゲット再生装置にデジタルメディアコンテンツを指示するように設置される。
【００１８】
好ましくは、上記装置は、前記事前定義された送信ハンドジェスチャはユーザがこすり又はつまみ上げ又はつかみ取る又は指を集め又は両手を集める動作を指すことを更に特徴とする。
【００１９】
好ましくは、上記装置は、前記の事前定義された送信操作を合致するイベントはワンタッチイベント又はマルチタッチイベント又は並進イベント又はマルチポイント並進集めイベントを指すことを更に特徴とする。
【００２０】
好ましくは、上記装置は、前記ネットワークモジュールは、前記ターゲット再生装置に前記再生装置の再生しているデジタルメディアコンテンツ又は前記デジタルメディアコンテンツのアドレスを送信し、前記デジタルメディアコンテンツは前記再生装置のローカルデジタルメディアコンテンツ又はネットワークにより取得されたデジタルメディアコンテンツであるように更に設置されることを更に特徴とする。
【００２１】
上記技術問題を解決するために、本発明はターゲット装置としての再生装置を更に提供しており、前記再生装置は撮影モジュール及び／又はタッチスクリーン処理モジュールを含み、前記再生装置はデータ伝送指示識別モジュール、ネットワークモジュール、再生コントロールモジュールを更に含み、前記データ伝送指示識別モジュールは、第２指示を識別し、具体的に、撮影モジュールがキャプチャしたビデオデータに基づいて前記ビデオデータが事前定義された受信ハンドジェスチャを合致する又は事前定義された受信身体動作を合致するビデオデータであることを分析して得られ、及び／又は、はタッチスクリーン処理モジュールがキャプチャしたタッチスクリーンタッチデータに基づいて前記データが事前定義された受信操作イベントを合致するデータであることを分析して得られることを指すように設置され、前記ネットワークモジュールは、前記データ伝送指示識別モジュールが前記第２指示を識別した後、相手端装置の指示を受信するように設置され、前記再生コントロールモジュールは、前記相手端再生装置が指示するデジタルメディアコンテンツを再生するように設置される。
【００２２】
好ましくは、上記装置は、前記事前定義された受信ハンドジェスチャは投げ、リリース、指し又は指開きの動作を指すことを更に特徴とする。
【００２３】
好ましくは、上記装置は、前記事前定義された受信操作イベントはワンタッチイベント又はマルチタッチイベント又は並進イベント又はマルチポイント並進分散イベントであることを更に特徴とする。
【００２４】
好ましくは、上記装置は、前記相手端装置の指示は前記相手端装置が再生しているデジタルメディアコンテンツ又はデジタルメディアコンテンツのアドレスを指し、前記再生コントロールモジュールは、前記相手端装置の指示が前記相手端装置の再生しているデジタルメディアコンテンツを指す時、前記デジタルメディアコンテンツを再生し、前記相手端装置の指示がデジタルメディアコンテンツのアドレスを指す時、前記アドレスに対応するデジタルメディアコンテンツを取得して再生するように更に設置されることを更に特徴とする。
【００２５】
上記技術問題を解決するために、本発明はデジタルメディアコンテンツ再生転送システムを更に提供しており、上記ソース装置及び前記ターゲット装置を含む。
【発明の効果】
【００２６】
以上のように、本発明の実施例は、デジタルメディアコンテンツ装置をより操作しやすく、デジタルメディアコンテンツ装置のユーザビリティを向上させ、ユーザ体験を向上させる。
【図面の簡単な説明】
【００２７】
【図１】本解決手段におけるデジタルメディアコンテンツ再生転送方法の案内図である。
【図２】本解決手段における例示中に第１装置に対するこすりハンドジェスチャ操作の案内図である。
【図３】本解決手段における例示中に第１装置に対するつまみ上げハンドジェスチャ操作の案内図である。
【図４】本解決手段における例示中に第２装置に対する投げハンドジェスチャ操作の案内図である。
【図５】本解決手段における例示中に第２装置に対する放しハンドジェスチャ操作の案内図である。
【図６】本解決手段における例示中に第２装置に対する指しハンドジェスチャ操作の案内図である。
【図７】本解決手段における例示中に第２装置に対する開きハンドジェスチャ操作の案内図である。
【図８】本解決手段中における再生装置の構造案内図である。
【発明を実施するための形態】
【００２８】
図面及び実施例を参照しながら本発明を詳細に説明する。
【００２９】
明確にするために、ここでは、装置のあらゆる通常の特徴を示し及び記述していない。当然、理解すべきなのは、いかなる実際の装置の開発中に、開発者の特定したターゲットを達成するように、特定した達成方式の決定を行う必要がある。例えば、応用及びサービスに関連する制約を合致し、これらの特定したターゲットは異なる達成方式に伴って変化し、且つ異なる開発者に伴って変化する。且つ、理解すべきなのは、この開発作業は複雑で時間がかかり、しかしながら、これにもかかわらず本発明が開示している内容に啓発された一般の技術者にとって、行った技術操作は通常のものである。
【００３０】
ここで記述する主題に基づいて、各種のオペレーティングシステム、計算プラットフォーム、コンピュータプログラム、及び／又は汎用機器を利用して各種の部材、システム、装置、処理ステップ及び／又はデータ構造を製造、操作及び／又は実行することができる。また、一般の当業者は、ここに開示されている発明発想の範囲及び趣旨実質を逸脱しないまま、あまり汎用しない装置を利用してもよいと分かる。そのうち、含まれる方法はコンピュータ、装置又は機器において実行され、且つ該方法は機器読み取り可能なコマンドとして格納されてもよい。それらは確定したメディア、例えばコンピュータストレージデバイスに格納されてもよく、ＲＯＭ（読み出し専用メモリ、ＦＬＡＳＨメモリ、転送装置等）、磁気記憶媒体（例えば、テープ、ディスクドライバ等）、光学記憶媒体（例えば、ＣＤ−ＲＯＭ、ＤＶＤ−ＲＯＭ、紙カード、テープ等）及びその他の既知のタイプのプログラムメモリに格納されてもよいがそれらに限らない。また、該方法は人又は創造的な判断を必要とせず、ソフトウェアツールの選択を利用して人類操作者により実行されてもよいと分かるべきである。
【００３１】
ただし、衝突がない場合、本願における実施例及び実施例における特徴は互いに任意に組み合せることができる。
【００３２】
図１に示すように、本方法は第１装置及び第２装置に関する。第１装置及び第２装置には撮影モジュール及び／又はタッチスクリーン処理モジュールが配置される。
【００３３】
第１装置はデジタルメディアコンテンツを再生する能力を有する。撮影モジュールが更に配置されてもよく、撮影モジュールがキャプチャしたデータに基づいて第１指示を識別してもよい。又はタッチスクリーン処理モジュールが配置され、タッチスクリーン処理モジュールがキャプチャしたデータに基づいて第１指示を識別してもよい。第１装置は、更に有線ネットワーク又はワイヤレスネットワークにより第２装置に接続される。例えば、ＩＥＥＥ  ８０２．１１ｂ／ｇ／ｎをバックアップするとともに、ＩＥＥＥ  ８０２．３をバックアップするネットワークインターフェースがあり、それによりＩＰネットワークに接続されることができる。
【００３４】
第２装置はデジタルメディアコンテンツを再生する能力を有する。撮影モジュールが更に配置されてもよく、撮影モジュールがキャプチャしたデータに基づいて第２指示を識別してもよい。又はタッチスクリーン処理モジュールが配置され、タッチスクリーン処理モジュールがキャプチャしたデータに基づいて第２指示を識別してもよい。第２装置は、更に有線ネットワーク又はワイヤレスネットワークにより第１装置に接続される。例えば、ＩＥＥＥ  ８０２．１１ｂ／ｇ／ｎをバックアップするとともに、ＩＥＥＥ  ８０２．３をバックアップするネットワークインターフェースがあり、それによりＩＰネットワークに接続されることができる。
【００３５】
デジタルメディアコンテンツ再生転送方法は、第１装置が第１指示を識別し及び／又は第２装置が第２指示を識別した後、第２装置は第１装置が前記第２装置に指示したデジタルメディアコンテンツを再生することを含み、第１装置が第１指示を識別することは、第１装置は撮影モジュールがキャプチャしたビデオデータに基づいて前記ビデオデータが事前定義された送信ハンドジェスチャを合致する又は事前定義された送信身体動作を合致するビデオデータであることを分析して得られ、及び／又は、第１装置はタッチスクリーン処理モジュールがキャプチャしたタッチスクリーンタッチデータに基づいて前記データが事前定義された送信操作イベントを合致するデータであることを分析して得られることを指し、第２装置が第２指示を識別することは、第２装置は撮影モジュールがキャプチャしたビデオデータに基づいて前記ビデオデータが事前定義された受信ハンドジェスチャを合致する又は事前定義された受信身体動作を合致するビデオデータであることを分析して得られ、及び／又は、第２装置はタッチスクリーン処理モジュールがキャプチャしたタッチスクリーンタッチデータに基づいて前記データが事前定義された受信操作イベントを合致するデータであることを分析して得られることを指す。
【００３６】
そのうち、第１装置が指示するデジタルメディアコンテンツは第１装置が第２装置に第１装置の再生しているデジタルメディアコンテンツを送信し、又は第１装置が第２装置にデジタルメディアコンテンツのアドレスを送信することを指し、デジタルメディアコンテンツは第１装置のローカルデジタルメディアコンテンツ又は第１装置がネットワークにより取得したデジタルメディアコンテンツである。第２装置が第１装置の再生しているデジタルメディアコンテンツを受信する時、受信したデジタルメディアコンテンツを直接に再生する。第２装置がデジタルメディアコンテンツのアドレスを受信する時、このアドレスに基づいて対応するデジタルメディアコンテンツを取得して再生する。
【００３７】
このデジタルメディアコンテンツは、画像、ビデオ、音声、デスクトップの一種又は複数の組み合わせであってもよい。
【００３８】
事前定義された送信ハンドジェスチャはユーザがこすり又はつまみ上げ又はつかみ取る又は指を集め又は両手を集める動作を指す。
【００３９】
合致事前定義された送信操作イベントワンタッチイベント又はマルチタッチイベント又は並進イベント又はマルチポイント並進集めイベントを指す。
【００４０】
事前定義された受信ハンドジェスチャは投げ、リリース、指し又は指開きの動作を指す。
【００４１】
事前定義された受信操作イベントはワンタッチイベント又はマルチタッチイベント又は並進イベント又はマルチポイント並進分散イベントである。
【００４２】
第１装置及び第２装置は双方向の情報交換の協議を行うことができ、例えば、第１装置が第１指示を識別した後第２装置にデジタルメディアコンテンツ再生転送の要求メッセージを送信し、第２装置が前記要求メッセージを受信して前記第２指示を識別した後、第１装置に再生要求受信のレスポンスをフィードバックし、第１装置が前記レスポンスを受信した後第２装置に前記デジタルメディアコンテンツを指示する。又は、第２装置が前記第２指示を識別した後前記第１装置にデジタルメディアコンテンツ再生転送の要求メッセージを送信し、第１装置が前記要求メッセージを受信して前記第１指示を識別した後、第２装置に再生要求受信のレスポンスをフィードバックし、且つ第２装置に前記デジタルメディアコンテンツを指示する。
【００４３】
第１装置及び第２装置は単方向情報交換の協議を行うことができ、例えば、第１装置が第１指示を識別した後第２装置にデジタルメディアコンテンツ再生転送及び要求メッセージを送信し、且つ第２装置に前記デジタルメディアコンテンツを指示する。
【００４４】
さらに例えば、第２装置が第２指示を識別した後第１装置にデジタルメディアコンテンツ再生転送の要求を送信し、第１装置が前記要求メッセージを受信した後、第２装置は前記デジタルメディアコンテンツを指示する。
【００４５】
上記協議過程中において、要求メッセージ中にはデジタルメディアコンテンツのカテゴリー指示を含んでもよく、前記カテゴリー指示は画像、ビデオ、音声、デスクトップのパラメータのうちの１種又は複数種の組み合せを含む。
【００４６】
第１装置及び第２装置は協議を行わなくてもよく、すなわち、両者が通信の双方であるとデフォルトした前提下（ひいては両者中におけるソース装置及びターゲット装置をデフォルトした前提下）で、第１装置が第１指示を識別し及び／又は第２装置が第２指示を識別した後、第２装置は第１装置が前記第２装置に指示したデジタルメディアコンテンツを再生する。
【００４７】
例を挙げて説明すると、例えば第１装置はＰＡＤであり、第２装置はＴＶである。
【００４８】
ＰＡＤにおいてデジタルメディアコンテンツが再生される。デジタルメディアコンテンツはローカルに格納されているビデオファイル、又はＩＰネットワークからのビデオストリーム、又はローカルの音声ファイル、又はＩＰネットワークからの音声ストリームであってもよく、オペレーティングシステムのデスクトップであってもよい。
【００４９】
ＰＡＤは一つのタッチスクリーンを有し、一つのカメラも有する。ユーザは指でタッチスクリーン上において掴み、指すぼめ、又はこすりのような動作を行うことができる。更に、カメラの前で、手でつかみ取る動作等を行うことができる。
【００５０】
ＰＡＤはデジタルメディアコンテンツ再生転送のトリガ能力を有する。ここでの意味は、ＰＡＤがタッチスクリーン上の手の動作を受信し、又はカメラにより動き画像を取得することができ、それにより、事前定義に従ってデジタルメディアコンテンツの転送再生を用意する指示を識別判断する。
【００５１】
ＰＡＤは、ＩＥＥＥ  ８０２．１１ｂ／ｇ／ｎをバックアップし、ＩＥＥＥ  ８０２．３をもバックアップするネットワークインターフェースを有し、それによりＩＰネットワークに接続することができる。ＰＡＤ内のモジュールは、ネットワークサービス能力を更に有し、ネットワークサービス能力は他の装置と互いに発見、接続することができ、再生転送の用意をトリガした指示を受信した後、他の装置にメッセージを放送する。
【００５２】
ＴＶは第２装置とし、一つのカメラを有する。ユーザは、カメラの前で、手で投げ、リリース、又は指し動作等を行うことができる。ＴＶはデジタルメディアコンテンツ再生の転送を識別する能力を有する。ここでは、ＴＶがカメラにより動画像を取得することができ、それにより事前定義に基づいて、本ＴＶに転送して再生するデジタルメディアコンテンツがあることを識別する。つまり、デジタルメディアコンテンツが間もなく本装置に転送しようとしていることを知り、この識別は手の投げ動作、手のリリース動作の識別を含むコンテキストシーンを結合する。ＴＶ上には一つのタッチスクリーンを有し、タッチスクリーンによりユーザの手の指し動作又は手のタッチスクリーン上での開き動作をキャプチャすることができる。
【００５３】
ＴＶは、ＩＥＥＥ  ８０２．１１ｂ／ｇ／ｎをバックアップし、バックアップＩＥＥＥ  ８０２．３をもバックアップするネットワークインターフェースを有し、それによりＩＰネットワークに接続することができる。ＴＶ内のモジュールは、ネットワークサービス能力を更に有し、ネットワークサービス能力は他の装置と互いに発見、接続することができる。且つ、ＰＡＤの放送メッセージ、レスポンス放送メッセージを受信することができ、更にユーザが送信した転送動作意図を識別した後、ＰＡＤに確認メッセージを送信し、最終にＰＡＤとデジタルメディアコンテンツの再生転送を行うことができる。
【００５４】
ＰＡＤ及びＴＶはネットワークにより互いに接続される。ＰＡＤ及びＴＶのネットワークサービス能力は以下を含む。
１）ＰＡＤ及びＴＶは、ネットワークにより互いに通信する。
２）ネットワークによりデジタルメディアコンテンツ再生のコントロール操作を協議する。
３）デジタルメディアコンテンツの伝送を行うことができる。
【００５５】
ＰＡＤが識別できる動作はそれぞれ、以下のとおりである。
１）こすり：図２に示すように、ユーザは、ＰＡＤタッチスクリーン上におけるデジタルメディアコンテンツの対応ウィンドウ又はアイコン上においてこすり動作を行う。
ＰＡＤは、こすりという動作について、タッチスクリーンにより抵抗又は電流を検出し、触点及び運動軌跡を識別し、更に操作のハンドジェスチャを判断する。
２）つまみ上げ：図３に示すように、ユーザは、３本の指又は４本の指又は５本の指でスクリーン上においてつまみ上げ動作を行う。
【００５６】
ＴＶが識別できる動作はそれぞれ、以下のとおりである。
１）投げ：図４に示すように、ユーザはＴＶカメラに向かって手で投げ動作を行う。
２）リリース：図５に示すように、ユーザは、つかみ取る又はつまみ上げハンドジェスチャを保持し、次にＴＶカメラに向かって手でリリース動作を行う。
３）指し：図６に示すように、ユーザはＴＶカメラに向かって手で指し動作を行う。
４）開き：図７に示すように、ユーザは、ＴＶスクリーンのタッチスクリーン上において、まず５本の指を集め、次に指の開き動作を行う。
【００５７】
ハンドジェスチャ動作の識別は、ヒストグラム法又は隠れマルコフモデル法を用いることができる。まずユーザのハンドジェスチャ動作は、カメラキャプチャ範囲内に落ちるべきである。このように、カメラはハンドジェスチャビデオを生成して識別モジュールに提供することができる。識別モジュールは、ビデオ中におけるハンドジェスチャ画像を色、アウトライン、又は構造光により分析する等の方法で手の位置を識別し、検査してハンドジェスチャオブジェクトを区分し、ハンドジェスチャ特徴を抽出し、ハンドジェスチャ動きを追跡し、次に指し方向、運動方向配列を処理し、最後にハンドジェスチャ動作を完全に識別する。この時、事前定義されたハンドジェスチャ動作空間と対比する等の方法を用いて、ユーザの動作操作意図を確定する。
【００５８】
上記のハンドジェスチャ動作以外に、更に目の動き、体の姿勢等の動作を用いてもよい。
【００５９】
上記２組の動作はそれぞれ各組から一つを選択して組み合せ、デジタルメディアコンテンツの転送コントロールを完成することができる。例えば、第１組の１）を選択してＰＡＤ上に動作を行い、次にＴＶカメラに向かって第２組における動作２）を行う。ＰＡＤは再生しているデジタルメディアコンテンツをＴＶに送信し、ＴＶはこのデジタルメディアコンテンツを再生する。
【００６０】
以下、具体的な実施例により詳細に説明する。
【００６１】
具体的な実施例１
第１装置はＰＡＤであり、第２装置はＴＶである。本実施例において、デジタルメディアコンテンツはＰＡＤ上にあり、ユーザは操作してデジタルメディアコンテンツをＰＡＤからＴＶに転送する。ユーザにとって、使用シーン及び体験は、住戸のリビングルーム内に、ユーザがソファに座って、ＰＡＤを用いてＰＡＤ上でホームビデオを見て、指でビデオを再生しているＰＡＤディスプレイスクリーン上において１回掴む。次に、手を上げて更にＴＶカメラ方向に向けて投げ動作を行い、そこで元にＰＡＤ上に再生しているデジタルメディアコンテンツが、現在ＴＶ上に再生される。これにより、ユーザはビデオコンテンツをＴＶ上で見ることができる。この過程は、ユーザがディスプレイスクリーン上でのメニューを識別することを必要とせず、ユーザがディスプレイスクリーンボタンをクリックする等を必要とせず、ユーザがリモコンを使用することも必要としない。
【００６２】
本具体的な実施例において、装置ＰＡＤ、ＴＶの間はネットワークにより互いに接続し、且つ互いに通信することができる。本具体的な実施例の実行過程はステップ１〜ステップ５を含む。
【００６３】
ステップ１：ユーザはＰＡＤ上で第１動作を実演し、ＰＡＤはこの動作の意図を識別し、カレントに再生しているビデオを別の装置上に再生する必要がある。
【００６４】
ここでの第１動作は、前記実施例中における第１組動作中におけるいずれかの動作であってもよい。ＰＡＤはそのうちの一つの動作をバックアップしてもよく、且つ少なくともそのうちの一つの動作をバックアップする。これらの動作の識別に対して、ＰＡＤ中にコンテキストを結合して事前定義されたものであってもよい。部分動作識別は、画像識別アルゴリズムを結合使用し、それによりＰＡＤは動作が表す意味、すなわち、カレントに再生しているビデオを別の装置上に再生する必要があることを識別することができる。
【００６５】
このステップにおいて、ＡＤすなわち第１装置のデジタルメディアコンテンツ再生転送のトリガ能力に依存する。トリガ能力は、再生転送用意の指示を受信又は識別することができることを指す。ＰＡＤは一つのタッチスクリーンを有し、これらの指示は手によるタッチスクリーン上での掴み、つまみ又はこすりのような動作等を含み、トリガして第１装置にデジタルメディアコンテンツの再生転送意図を取得させる。
【００６６】
このステップが終了すると、第１装置がデジタルメディアコンテンツ再生転送用意の指示（例えばタッチスクリーン操作）を受信し、又は、第１装置がデジタルメディアコンテンツの再生転送用意の指示を識別する。
【００６７】
ステップ２：ＰＡＤ装置は、ＲＥＡＤＹ  ＰＬＥＡＳＥメッセージという放送メッセージを送信する。
【００６８】
ＰＡＤは動作を識別し、デジタルメディアコンテンツ再生転送意図を識別した後、ネットワークサービス機能を起動する。そして、あらかじめ規定されたアドレス及びポート上に放送／マルチキャストメッセージを送信する。メッセージ中に含まれる情報は、ほかの装置に識別受信用意動作を通知することに用いられる。
【００６９】
このメッセージは本発明中においてＲＥＡＤＹ  ＰＬＥＡＳＥと称され、メッセージは以下を含む。
【００７０】
本装置の名称、アドレス、ポートであって、これはデジタルメディアコンテンツ再生のＲＥＡＤＹ  ＰＬＥＡＳＥメッセージを送信するアドレス、及び後続のレスポンスメッセージを受信するアドレスであり、デジタルメディアコンテンツカテゴリーの指示であって、画像、又は動き画像、又は音声、又はデスクトップのうちの一つの又は複数の組み合せであってもよく、デジタルメディアコンテンツプロパティであって、カテゴリーが画像である時、画像コーディング方式を含み、カテゴリーが動き画像である時、画像コーディング方式、フレーム率等を含み、カテゴリーが音声である時、音声コーディング方式、及び／又はサンプリングレート等を含み、カテゴリーがデスクトップである時、デスクトップの大きさ、解像度等を含み、カテゴリーが組み合せ方式である時、組み合せのうちの各種別の対応するパラメータを含み、デジタルメディアコンテンツを送信する伝送プロトコルパラメータであって、アドレス、ポート、及び他のプロトコルパラメータ集を含み、最終にデジタルメディアコンテンツの転送を確認したと、ここで表示したパラメータを用いてデジタルメディアコンテンツを送信し、タイムアウト時間であって、このＲＥＡＤＹ  ＰＬＥＡＳＥメッセージの有効時間を表し、つまり指定された時間を経た後、今回の転送意図が無効（キャンセル）になる。
【００７１】
このステップを終了する前、ＰＡＤとＴＶのネットワーク能力はＰＡＤとＴＶの相互接続を完成させ、同様に装置のネットワーク能力に依存し、本装置上にデジタルメディアコンテンツの再生転送用意をトリガした指示を受信した後、ＰＡＤはネットワークにより、ＴＶを含む他の装置にハンドジェスチャ動作を受信又は識別用意させるメッセージ指示を送信する。つまり、他の装置はデジタルメディアコンテンツの転送を受信することができるかどうかを確認する必要がある。
【００７２】
要するに、このステップにおいて、第１装置は他の装置にデジタルメディアコンテンツの転送を受信することができるかどうかを確認させる指示を送信する。
【００７３】
ステップ３：ＴＶは第２動作を識別する。
【００７４】
ここの第２動作は、前記実施例中における第２組動作のうちのいずれかの動作であってもよい。ＴＶはそのうちの一つの動作をバックアップしてもよく、且つ少なくともそのうちの一つの動作をバックアップする。これらの動作の識別に対して、ＴＶ中にコンテキストを結合して事前定義されたものであり、このコンテキストはＴＶがＰＡＤの放送メッセージを受信した後カメラが識別機能を起動することを含む。動作識別は、画像識別アルゴリズムを結合使用し、それによりＴＶは動作が表す意味、すなわち、カレントに再生しているビデオを本装置上に転送して再生することを識別する。
【００７５】
このステップにおいて、第２装置はデジタルメディアコンテンツを本装置に転送することを識別した。
【００７６】
ステップ４：ＴＶは識別した後メッセージ（このメッセージは放送メッセージであってもよい）、すなわちＰＡＩＲＥＤ  ＯＫを送信する。
【００７７】
ＴＶは、本装置に対する動作を識別し、すなわちデジタルメディアコンテンツ再生の本装置への転送意図を識別した後、本装置は前記ＰＡＤが送信した放送メッセージ中におけるデジタルメディアコンテンツを受信すると、ネットワークサービス機能を起動させ、あらかじめ規定されたアドレス及びポート上にＰＡＤにレスポンスメッセージ、すなわち本発明中にＰＡＩＲＥＤ  ＯＫと称されるメッセージを送信する。メッセージ中に含まれる情報は、ＰＡＤに本装置がデジタルメディアコンテンツを受けることができると確認したことを回答することに用いられる。
【００７８】
メッセージには以下が含まれる。
本装置の名称、アドレス、ポートであって、これはＰＡＩＲＥＤ  ＯＫメッセージを送信するアドレス、及び後続のメッセージ交換のアドレスであり、受信できるデジタルメディアコンテンツカテゴリーの指示であって、画像、又は動き画像、又は音声、又はデスクトップ又はその組み合せのうちの一つであってもよく、これはＴＶがＰＡＤへコンテンツカテゴリーを確認することであり、デジタルメディアコンテンツプロパティであって、画像カテゴリーである時、画像コーディング方式を含み、動き画像カテゴリーである時、画像コーディング方式、フレーム率等を含み、音声カテゴリーである時、コーディング方式、及び／又はサンプリングレート等を含み、デスクトップカテゴリーである時、デスクトップの大きさ、解像度等を含み、これはＴＶがＰＡＤへコンテンツプロパティを確認することであり、送信して来たデジタルメディアコンテンツを受信する伝送プロトコルであって、アドレス、ポート、及び他のプロトコルパラメータ集を含み、最終にデジタルメディアコンテンツの転送を作成したと、ここで表示しているパラメータを用いて受信し、これはＴＶがＰＡＤへコンテンツ伝送プロトコルを確認することであり、タイムアウト時間であって、このメッセージの有効時間を表し、つまり指定された時間を経た後、今回のデジタルメディアコンテンツを受信できる意図が無効（キャンセル）になる。
【００７９】
このステップにおいて、第２装置は第１装置へデジタルメディアコンテンツの受信を用意したことを確認する。
【００８０】
ステップ５：デジタルメディアコンテンツ転送。
【００８１】
ＰＡＤとＴＶの間はネットワークメッセージにより確認された後、ＰＡＤとＴＶの間は完了する又は中止されるまでデジタルメディアコンテンツを転送する。
【００８２】
デジタルメディアコンテンツの転送は、前記ＰＡＤとＴＶの間のメッセージ協議のメディア伝送プロトコルを用い、例えば、リアルタイム伝送プロトコル／リアルタイム伝送制御プロトコル（Ｒｅａｌ  Ｔｉｍｅ  Ｔｒａｎｓｐｏｒｔ  Ｐｒｏｔｏｃｏｌ／Ｒｅａｌ  Ｔｉｍｅ  Ｔｒａｎｓｐｏｒｔ  Ｃｏｎｔｒｏｌ  Ｐｒｏｔｏｃｏｌ、ＲＴＰ／ＲＴＣＰ）、ＨＴＴＰ方式のアダプティブストリームメディア（ＨＴＴＰ  Ａｄａｐｔｉｖｅ  Ｓｔｒｅａｍｉｎｇ、ＨＡＳ）、ファイル伝送プロトコル（Ｆｉｌｅ  Ｔｒａｎｓｐｏｒｔ  Ｐｒｏｔｏｃｏｌ、ＦＴＰ）、ＷｉＦｉアライアンスの表示技術（ＷｉＦｉ  Ｄｉｓｐｌａｙ）、無線ホームデジタルインターフェース（Ｗｉｒｅｌｅｓｓ  Ｈｏｍｅ  Ｄｉｇｉｔａｌ  Ｉｎｔｅｒｆａｃｅ、ＷＨＤＩ）、無線ハイデフィニションプロトコル（Ｗｉｒｅｌｅｓｓ  Ｈｉｇｈ  Ｄｅｆｉｎｉｔｉｏｎ、ＷｉＨＤ）等を用いてもよい。
【００８３】
デジタルメディアの再生、例えば早送り早戻し、音量の機能をコントロールすることは、前記のメディア伝送プロトコル中における機能を利用して、ＰＡＤ又はＴＶ上にコントロールを行い、完全にＴＶにコントロールされてもよい。この時、ここにＴＶは伝送して来たデジタルメディアコンテンツをキャッシュする必要がある。
【００８４】
ＰＡＤ上においてデジタルメディアコンテンツ再生が終わる又は伝送が終わる時、ＰＡＤはメッセージをＴＶに送信し、ＴＶに再生が終わることを通知し、ネットワーク接続を閉じる。
【００８５】
ＰＡＤ上におけるデジタルメディアコンテンツがネットワーク上における別のコンテンツソース装置からのものであると、三者協議の方式により、別のコンテンツソース装置上でのデジタルメディアコンテンツをＴＶに転送して再生してもよい。この状況では、ＰＡＤはデジタルメディアコンテンツの再生、コントロール等に関与しない。
【００８６】
具体的な実施例２
ユーザは、まずＴＶにハンドジェスチャ操作を施し、すなわち目的装置を指し示す。次に、ＰＡＤにハンドジェスチャ操作を施し、すなわちソース装置を指し示す。両者は転送協議を完了し、ＰＡＤはＴＶにデジタルメディアコンテンツを指示し、ＴＶは再生する。具体的な実行方式は実施例１と同じであるため、ここでは重複説明しない。
【００８７】
具体的な実施例３
ＰＡＤをソース装置としてデフォルトし、ユーザはＴＶのみにハンドジェスチャして、デジタルメディアコンテンツをＴＶ上に転送して再生する必要があることを指示する。ＴＶはこの指示を識別した後、ＰＡＤにメッセージを放送する。ＰＡＤはこの放送メッセージをレスポンスし、両者は転送協議を完成させる。ＰＡＤはＴＶにデジタルメディアコンテンツを指示し、ＴＶは再生する。具体的な実行方式は実施例１と同じであるため、ここでは重複説明しない。
【００８８】
具体的な実施例４
ＴＶをターゲット装置としてデフォルトし、ユーザはＰＡＤのみにハンドジェスチャして、デジタルメディアコンテンツを転送再生する必要があることを指示する。ＰＡＤはこの指示を識別した後、ＴＶにメッセージを放送する。ＴＶはこの放送メッセージをレスポンスし、両者は転送協議を完成させる。ＰＡＤはＴＶにデジタルメディアコンテンツを指示し、ＴＶは再生する。具体的な実行方式は実施例１と同じであるため、ここでは重複説明しない。
【００８９】
具体的な実施例５
ＰＡＤをソース装置としてデフォルトし、ＴＶをターゲット装置としてデフォルトし、ユーザは２つの装置のいずれか一つの装置上にハンドジェスチャ指示を行う。両装置は協議を行った後、ＰＡＤはＴＶにデジタルメディアコンテンツを指示し、ＴＶは再生する。具体的な実行方式は実施例１と同じであるため、ここでは重複説明しない。
【００９０】
上記具体的な実施例中において、いずれも、両装置がリバーシブルインタラクションを行う協議過程を含む。ただし、上記具体的な実施例は更に単方向インタラクションの協議過程を用いてもよい。両者が通信両方であるとデフォルトした前提下（ひいては両者のうちのソース装置及びターゲット装置をデフォルトした前提下）では、協議過程を省略してもよい。
【００９１】
上記具体的な実施例中において、第１装置としてＰＡＤを用いたが、本発明は第１装置がＰＡＤ装置であることに限定されず、携帯電話、タッチスクリーン付きメディアプレーヤ、携帯電話又はタッチスクリーンをリモコンとして用いる再生装置、ひいてはコンピュータ等を第１装置としてもよい。前記フロー中におけるトリガ機能は、コンピュータ上においてキーボード、マウスにより達成されてよい。
【００９２】
上記具体的な実施例中において、第２装置としてＴＶを用いたが、本発明は第２装置がＴＶ装置であることに限定されず、一つのカメラが配置され、実施例中に記述した各種能力を有する限り、携帯電話、セットトップボックス、投影機、コンピュータ等を第２装置としてもよい。
【００９３】
上記実施例は、ネットワークに関連するものが、ＩＥＥＥ  ８０２．３、ＩＥＥＥ  ８０２．１１ｂ／ｇ／ｎ、ＰＯＷＥＬＩＮＥ、ＣＡＢＬＥ、ＰＳＴＮ、３ＧＰＰ（３ｒｄ  Ｇｅｎｅｒａｔｉｏｎ  Ｐａｒｔｎｅｒｓｈｉｐ  Ｐｒｏｊｅｃｔ、第３世代パートナーシッププロジェクト）に基づくネットワーク、３ＧＰＰ２  ネットワーク等の通信ネットワークがバックアップするＩＰネットワークに適用できる。各装置のオペレーティングシステムは、ＵＮＩＸ（登録商標）類オペレーティングシステム、ＷＩＮＤＯＷＳ（登録商標）類オペレーティングシステム、ＡＮＤＲＯＩＤ（登録商標）類オペレーティングシステム、ＩＯＳ（登録商標）オペレーティングシステムが適用でき、消費者向けのインターフェースはＪＡＶＡ（登録商標）言語インターフェース等が適用できる。
【００９４】
上記フローは、本発明を達成する実施例であり、実施例しか達成できないことに限定されず、具体的なフローの実行方法を限定するものでもない。本発明は、更に類似する方式で達成してもよい。例えば、モジュールを表す名称、各種メッセージのタイプ等は、命名の形式に過ぎず、具体的なメッセージコンテンツ等は異なる。
【００９５】
図８に示すように、ソース装置としてもよい再生装置は、デジタルメディアコンテンツ再生を行うための再生コントロールモジュールを含む。再生装置は、撮影モジュール及び／又はタッチスクリーン処理モジュールを更に含む。また、再生装置は、データ伝送指示識別モジュール及びネットワークモジュールを更に含む。
【００９６】
前記データ伝送指示識別モジュールは、第１指示を識別し、具体的に、前記撮影モジュールがキャプチャしたビデオデータに基づいて、前記ビデオデータが事前定義された送信ハンドジェスチャを合致する又は事前定義された送信身体動作を合致するビデオデータであることを分析して得られ、及び／又は、タッチスクリーン処理モジュールがキャプチャしたタッチスクリーンタッチデータに基づいて前記データが事前定義された送信操作イベントを合致するデータであることを分析して得られることを指し、前記事前定義された送信ハンドジェスチャはユーザがこすり又はつまみ上げ又はつかみ取る又は指を集め又は両手を集める動作を指すことに用いられる。
【００９７】
前記の事前定義された送信操作を合致するイベントはワンタッチイベント又はマルチタッチイベント又は並進イベント又はマルチポイント並進集めイベントを指す。
【００９８】
前記ネットワークモジュール、前記データ伝送指示識別モジュールが第１指示を識別した後、ターゲット再生装置にデジタルメディアコンテンツを指示することに用いられる。前記ネットワークモジュールは、前記ターゲット再生装置に前記再生装置の再生しているデジタルメディアコンテンツ、又は前記デジタルメディアコンテンツのアドレスを送信することに更に用いられ、前記デジタルメディアコンテンツは前記再生装置のローカルデジタルメディアコンテンツ又はネットワークにより取得されたデジタルメディアコンテンツである。
【００９９】
図８に示すように、ターゲット装置としてもよい再生装置は、撮影モジュール及び／又はタッチスクリーン処理モジュールを含み、前記再生装置はデータ伝送指示識別モジュール、ネットワークモジュール、再生コントロールモジュールを更に含む。
【０１００】
前記データ伝送指示識別モジュールは、第２指示を識別し、具体的には、撮影モジュールがキャプチャしたビデオデータに基づいて前記ビデオデータが事前定義された受信ハンドジェスチャを合致する又は事前定義された受信身体動作を合致するビデオデータであることを分析して得られ、及び／又は、タッチスクリーン処理モジュールがキャプチャしたタッチスクリーンタッチデータに基づいて前記データが事前定義された受信操作イベントを合致するデータであることを分析して得られることを指すことに用いられ、前記事前定義された受信ハンドジェスチャは投げ、リリース、指し又は指開きの動作を指す。
【０１０１】
前記事前定義された受信操作イベントはワンタッチイベント又はマルチタッチイベント又は並進イベント又はマルチポイント並進分散イベントである。
【０１０２】
前記ネットワークモジュールは、前記データ伝送指示識別モジュールが前記第２指示を識別した後、相手端装置の指示を受信することに用いられ、前記再生コントロールモジュールは、前記相手端再生装置が指示するデジタルメディアコンテンツを再生することに用いられる。
【０１０３】
前記相手端装置の指示は前記相手端装置が再生しているデジタルメディアコンテンツ又はデジタルメディアコンテンツのアドレスを指し、前記再生コントロールモジュールは、前記相手端装置の指示が前記相手端装置の再生しているデジタルメディアコンテンツを指す時、前記デジタルメディアコンテンツを再生し、前記相手端装置の指示がデジタルメディアコンテンツのアドレスを指す時、前記アドレスに対応するデジタルメディアコンテンツを取得して再生することに更に用いられる。
【０１０４】
本発明の再生転送システムは、同時に上記ソース装置及びターゲット装置を含み、両者のモジュール機能はここで重複説明しない。
【０１０５】
本発明の再生転送システムは、上記ソース装置及び上記ターゲット装置の機能を合せ持つ１つの装置を含んでいてもよい。必要に応じて、ソース装置としての装置又はターゲット装置としての装置をさらに含んでいてもよい。両者のモジュール機能はここで重複説明しない。
【０１０６】
本発明はデジタルメディアコンテンツ装置をより操作しやすく、デジタルメディアコンテンツ装置のユーザビリティを向上させ、ユーザ体験を向上させる。
【０１０７】
当然ながら、本発明は更にその他の複数種の実施例を有してもよく、本発明の趣旨とその実質を逸脱しない場合に、本分野に詳しい当業者は本発明に基づいて各種の相応する改定又は変形を行うことができる。これらの改定又は変形はいずれも本発明の請求の範囲の保護範囲に含まれる。
【０１０８】
一般の当業者は、上記方法における全部又は一部のステップをプログラムによって関連ハードウェアに命令を出して完成させることができる。前記プログラムはコンピュータ読み取り可能な記憶媒体、例えば読取り専用メモリ、ディスク又は光ディスク等に記憶してもよいと理解することができる。選択肢として、上記実施例の全部又は一部のステップが１つ又は複数のＩＣにより実現されてもよい。それに対応して、上記実施例における各モジュール／ユニットはハードウェアの形式で実現されてもよく、ソフトウェア機能モジュールの形式で実現されてもよい。本発明はあらゆる特定形式のハードウェアとソフトウェアの組合せに限らない。
【産業上の利用可能性】
【０１０９】
本発明の実施例はデジタルメディアコンテンツ装置をより操作しやすく、デジタルメディアコンテンツ装置のユーザビリティを向上させ、ユーザ体験を向上させる。
【図１】
2015519653.tif 000003
【図２】
2015519653.tif 000004
【図３】
2015519653.tif 000005
【図４】
2015519653.tif 000006
【図５】
2015519653.tif 000007
【図６】
2015519653.tif 000008
【図７】
2015519653.tif 000009
【図８】
2015519653.tif 000010
【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
第１装置が第１指示を識別し、及び／又は第２装置が第２指示を識別した後、前記第２装置は前記第１装置が前記第２装置に指示したデジタルメディアコンテンツを再生し、
前記第１指示は、ハンドジェスチャ又は身体動作、及び/又は、タッチスクリーン操作イベントを指し、
前記第２指示は、ハンドジェスチャ又は身体動作、及び/又は、タッチスクリーン操作イベントを指す、
デジタルメディアコンテンツ再生転送の方法。
【請求項２】
前記第１装置が第１指示を識別することは、前記第１装置が、撮影モジュールがキャプチャしたビデオデータに基づいて、前記ビデオデータが事前定義された送信ハンドジェスチャに合致する又は事前定義された送信身体動作に合致するビデオデータであることを分析すること、及び／又は、前記第１装置が、タッチスクリーン処理モジュールがキャプチャしたタッチスクリーンポイントタッチデータに基づいて、前記タッチスクリーンポイントタッチデータが事前定義された送信操作イベントに合致するデータであることを分析することを指し、
前記第２装置が第２指示を識別することは、前記第２装置が、撮影モジュールがキャプチャしたビデオデータに基づいて、前記ビデオデータが事前定義された受信ハンドジェスチャに合致する又は事前定義された受信身体動作に合致するビデオデータであることを分析すること、及び／又は、前記第２装置が、タッチスクリーン処理モジュールがキャプチャしたタッチスクリーンポイントタッチデータに基づいて、前記タッチスクリーンポイントタッチデータが事前定義された受信操作イベントに合致するデータであることを分析することを指す、
請求項１に記載の方法。
【請求項３】
前記事前定義された送信ハンドジェスチャは、ユーザが、こすり、つまみ上げ、つかみ取る、指を集め、又は両手を集める動作を指す、
請求項２に記載の方法。
【請求項４】
前記事前定義された送信操作に合致するイベントは、ワンタッチイベント、マルチタッチイベント、並進イベント、又はマルチポイント並進集めイベントを指す、
請求項２に記載の方法。
【請求項５】
前記事前定義された受信ハンドジェスチャは、投げ、リリース、指し、又は指開きの動作を指す、
請求項２に記載の方法。
【請求項６】
前記事前定義された受信操作イベントは、ワンタッチイベント、マルチタッチイベント、並進イベント、又はマルチポイント並進分散イベントである、
請求項２に記載の方法。
【請求項７】
前記第１装置が前記第１指示を識別した後デジタルメディアコンテンツ再生転送の要求メッセージを送信し、前記第２装置が前記要求メッセージを受信して且つ前記第２指示を識別した後、前記第１装置に要求メッセージ受信のレスポンスをフィードバックし、前記第１装置が前記レスポンスを受信した後前記第２装置に前記デジタルメディアコンテンツを指示し、
又は、
前記第２装置が前記第２指示を識別した後前記第１装置にデジタルメディアコンテンツ再生転送の要求メッセージを送信し、前記第１装置が前記要求メッセージを受信して且つ前記第１指示を識別した後、前記第２装置に要求メッセージを受け入れるレスポンスをフィードバックし、且つ前記第２装置に前記デジタルメディアコンテンツを指示するという実行過程をさらに含む、
請求項１に記載の方法。
【請求項８】
前記第１装置が前記第１指示を識別した後、前記第２装置にデジタルメディアコンテンツ再生転送の要求メッセージを送信し、且つ前記第２装置に前記デジタルメディアコンテンツを指示するという実行過程をさらに含む、
請求項１に記載の方法。
【請求項９】
前記第２装置が前記第２指示を識別した後、前記第１装置にデジタルメディアコンテンツ再生転送の要求メッセージを送信し、前記第１装置が前記要求メッセージを受信した後、前記第２装置に前記デジタルメディアコンテンツを指示するという実行過程をさらに含む、
請求項１に記載の方法。
【請求項１０】
前記要求メッセージは、デジタルメディアコンテンツのカテゴリー指示を含み、
前記カテゴリー指示は、画像、ビデオ、音声、デスクトップのパラメータのうちの１又は複数種の組み合せを含む、
請求項７、８又は９に記載の方法。
【請求項１１】
前記第１装置がデジタルメディアコンテンツを指示することは、前記第１装置が前記第２装置に前記第１装置の再生しているデジタルメディアコンテンツを送信し、又は前記第１装置が前記第２装置にデジタルメディアコンテンツのアドレスを送信することを指し、
前記デジタルメディアコンテンツは、前記第１装置のローカルデジタルメディアコンテンツ又は前記第１装置がネットワークにより取得したデジタルメディアコンテンツである、
請求項１〜９のいずれか１項に記載の方法。
【請求項１２】
再生装置であって、
前記再生装置は、撮影モジュール及び／又はタッチスクリーン処理モジュールを含み、
前記再生装置は、データ伝送指示識別モジュール及びネットワークモジュールを更に含み、
前記データ伝送指示識別モジュールは、第１指示を識別し、具体的に、前記撮影モジュールがキャプチャしたビデオデータに基づいて、前記ビデオデータが事前定義された送信ハンドジェスチャに合致する又は事前定義された送信身体動作に合致するビデオデータであることを分析し、及び／又は、タッチスクリーン処理モジュールがキャプチャしたタッチスクリーンポイントタッチデータに基づいて前記データが事前定義された送信操作イベントに合致するデータであることを分析することを指すように設置され、
前記ネットワークモジュールは、前記データ伝送指示識別モジュールが第１指示を識別した後、ターゲット再生装置にデジタルメディアコンテンツを指示するように設置される、
再生装置。
【請求項１３】
前記事前定義された送信ハンドジェスチャは、ユーザが、こすり、つまみ上げ、つかみ取る、指を集め、又は両手を集める動作を指す、
請求項１２に記載の再生装置。
【請求項１４】
前記事前定義された送信操作を合致するイベントは、ワンタッチイベント、マルチタッチイベント、並進イベント、又はマルチポイント並進集めイベントを指す、
請求項１２に記載の再生装置。
【請求項１５】
前記ネットワークモジュールは、前記ターゲット再生装置に前記再生装置の再生しているデジタルメディアコンテンツ又は前記デジタルメディアコンテンツのアドレスを送信し、
前記デジタルメディアコンテンツは、前記再生装置のローカルデジタルメディアコンテンツ又はネットワークにより取得されたデジタルメディアコンテンツであるように更に設置される、
請求項１２に記載の再生装置。
【請求項１６】
再生装置であって、
前記再生装置は、撮影モジュール及び／又はタッチスクリーン処理モジュールを含み、
前記再生装置は、データ伝送指示識別モジュール、ネットワークモジュール、及び再生コントロールモジュールを更に含み、
前記データ伝送指示識別モジュールは、第２指示を識別する、つまり撮影モジュールがキャプチャしたビデオデータに基づいて前記ビデオデータが事前定義された受信ハンドジェスチャに合致する又は事前定義された受信身体動作に合致するビデオデータであることを分析し、及び／又は、タッチスクリーン処理モジュールがキャプチャしたタッチスクリーンポイントタッチデータに基づいて前記データが事前定義された受信操作イベントに合致するデータであることを分析するように設置され、
前記ネットワークモジュールは、前記データ伝送指示識別モジュールが前記第２指示を識別した後、相手端再生装置の指示を受信するように設置され、
前記再生コントロールモジュールは、前記相手端再生装置が指示するデジタルメディアコンテンツを再生するように設置される、
再生装置。
【請求項１７】
前記事前定義された受信ハンドジェスチャは、投げ、リリース、指し、又は指開きの動作を指す、
請求項１６に記載の再生装置。
【請求項１８】
前記事前定義された受信操作イベントは、ワンタッチイベント、マルチタッチイベント、並進イベント、又はマルチポイント並進分散イベントである、
請求項１６に記載の再生装置。
【請求項１９】
前記相手端再生装置の指示は、前記相手端再生装置が再生しているデジタルメディアコンテンツ又はデジタルメディアコンテンツのアドレスを指し、
前記再生コントロールモジュールは、前記相手端再生装置の指示が前記相手端再生装置の再生しているデジタルメディアコンテンツを指す時、前記デジタルメディアコンテンツを再生し、前記相手端再生装置の指示がデジタルメディアコンテンツのアドレスを指す時、前記アドレスに対応するデジタルメディアコンテンツを取得して再生するように更に設置される、
請求項１６に記載の再生装置。
【請求項２０】
請求項１２〜１５のいずれか一つに記載の再生装置を含み、
請求項１６〜１９のいずれか一つに記載の再生装置を更に含む、
デジタルメディアコンテンツ再生転送システム。
【国際調査報告】
2015519653.tif 000011
2015519653.tif 000012
2015519653.tif 000013
2015519653.tif 000014